(57)【特許請求の範囲】
【請求項１】
文字や記号を表示可能な表示装置と、回線の閉結中に交換機側から送られる相手側装置の電話番号を受信可能な受信手段とを備えた電話装置において、
１の相手側装置との回線の閉結中に、新たに他の相手側装置から着呼があった場合、前記受信手段により受信された前記他の相手側装置の電話番号を記憶する発信者番号記憶手段と、
その発信者番号記憶手段に記憶される前記他の相手側装置の電話番号を前記表示装置へ表示する表示手段と、
その表示手段により前記表示装置へ表示された前記他の相手側装置の電話番号を所定の契機で消去する消去手段と、
前記表示手段による前記表示装置への前記他の相手側装置の電話番号の表示時間を記憶する表示時間記憶手段と、
その表示時間記憶手段に記憶されている時間の計時を行う計時手段とを備え、
前記計時手段による計時は、接続されている回線が前記１の相手側装置から前記他の相手側装置へ切り替えられることにより開始され、
前記消去手段は、その計時手段により前記表示時間記憶手段に記憶されている時間の計時が終了した場合に、前記表示装置へ表示されている前記他の相手側装置の電話番号を消去することを特徴とする電話装置。
【請求項２】
前記消去手段は、接続されている回線が前記他の相手側装置から前記１の相手側装置へ切り替えられた場合に、前記表示装置へ表示されている前記他の相手側装置の電話番号を消去することを特徴とする請求項１記載の電話装置。
【請求項３】
文字や記号を表示可能な表示装置と、通話中に相手側装置の電話番号を受信可能な受信手段とを備えた電話装置において、
１の相手側装置との通話中に、新たに他の相手側装置から着呼があった場合、前記受信手段により受信された前記他の相手側装置の電話番号を記憶する発信者番号記憶手段と、
その発信者番号記憶手段に記憶される前記他の相手側装置の電話番号を前記表示装置へ表示する表示手段と、
その表示手段により前記表示装置へ表示された前記他の相手側装置の電話番号を所定の契機で消去する消去手段と、
前記表示手段による前記表示装置への前記他の相手側装置の電話番号の表示時間を記憶する表示時間記憶手段と、
その表示時間記憶手段に記憶されている時間の計時を行う計時手段とを備え、
前記計時手段による計時は、通話が前記１の相手側装置から前記他の相手側装置へ切り替えられることにより開始され、
前記消去手段は、その計時手段により前記表示時間記憶手段に記憶されている時間の計時が終了した場合に、前記表示装置へ表示されている前記他の相手側装置の電話番号を消去することを特徴とする電話装置。
【請求項４】
前記消去手段は、通話が前記他の相手側装置から前記１の相手側装置へ切り替えられた場合に、前記表示装置へ表示されている前記他の相手側装置の電話番号を消去することを特徴とする請求項３記載の電話装置。
【請求項５】
キー部材が配設されている入力装置を備えており、
前記消去手段は、前記入力装置に配設されているキー部材が操作された場合に、前記表示装置へ表示されている前記他の相手側装置の電話番号を消去することを特徴とする請求項１から４のいずれかに記載の電話装置。
【請求項６】
前記消去手段によって消去された前記他の相手側装置の電話番号を前記発信者番号記憶手段の記憶内容に基づいて、所定の契機で再表示する再表示手段を備えていることを特徴とする請求項１から５のいずれかに記載の電話装置。
【発明の詳細な説明】
【０００１】
【発明の属する技術分野】
本発明は電話装置に関し、特に、相手側装置の電話番号（発信者番号）を受信することができる電話装置に関するものである。
【０００２】
【従来の技術】
通話中に他から新たな電話がかかってきた場合、簡単な操作で通話相手を切り替えることができる、いわゆるキャッチホンサービスが実用化されている。このキャッチホンサービスにおいて、既にアメリカでは、通話中に新たにかけてきた相手側装置（発信者）の電話番号（発信者番号）を交換機から送信するサービスが実用化されている。電話装置の中には、このサービスにより交換機から送られる発信者番号を受信して、通話中に、その受信した発信者番号を電話装置の表示器（例えば、液晶ディスプレイ（ＬＣＤ））へ表示する、いわゆるコール・ウエイティング・コーラーＩＤ機能を備えたものがある。よって、この機能を備えた電話装置では、ＬＣＤの表示内容を見ることにより、新たにかけてきた発信者を認識することができる。
【０００３】
【発明が解決しようとする課題】
しかしながら、かかる電話装置では、受信者が、新たにかけてきた発信者を認識して、電話回線の接続を切り替えても、発信者番号は通話中ずっとＬＣＤに表示されたままになっていた。そのため、発信者を認識して発信者番号の表示が必要なくなった場合や、発信者が誰であるのかを他の人に知られたくない場合であっても、ＬＣＤに表示された発信者番号の表示を消去することができないという問題点があった。
【０００４】
本発明は上述した問題点を解決するためになされたものであり、表示装置へ表示された相手側装置の電話番号を所定の契機で消去することができる電話装置を提供することを目的としている。
【０００５】
【課題を解決するための手段】
この目的を達成するために請求項１記載の電話装置は、文字や記号を表示可能な表示装置と、回線の閉結中に交換機側から送られる相手側装置の電話番号を受信可能な受信手段とを備えており、更に、１の相手側装置との回線の閉結中に、新たに他の相手側装置から着呼があった場合、前記受信手段により受信された前記他の相手側装置の電話番号を記憶する発信者番号記憶手段と、その発信者番号記憶手段に記憶される前記他の相手側装置の電話番号を前記表示装置へ表示する表示手段と、その表示手段により前記表示装置へ表示された前記他の相手側装置の電話番号を所定の契機で消去する消去手段と、前記表示手段による前記表示装置への前記他の相手側装置の電話番号の表示時間を記憶する表示時間記憶手段と、その表示時間記憶手段に記憶されている時間の計時を行う計時手段とを備え、前記計時手段による計時は、接続されている回線が前記１の相手側装置から前記他の相手側装置へ切り替えられることにより開始され、前記消去手段は、その計時手段により前記表示時間記憶手段に記憶されている時間の計時が終了した場合に、前記表示装置へ表示されている前記他の相手側装置の電話番号を消去するものである。
【０００６】
請求項１記載の電話装置によれば、１の相手側装置との回線の閉結中に交換機側から送られる他の相手側装置の電話番号が受信手段により受信されると、その受信された他の相手側装置の電話番号が発信者番号記憶手段に記憶され、表示手段によって表示装置へ表示される。接続されている回線が１の相手側装置から他の相手側装置へ切り替えられると、表示時間記憶手段に記憶されている時間の計時が計時手段により開始され、その計時が終了すると、表示装置へ表示されている他の相手側装置の電話番号が消去手段によって消去される。
【０００７】
請求項２記載の電話装置は、請求項１記載の電話装置において、前記消去手段は、接続されている回線が前記他の相手側装置から前記１の相手側装置へ切り替えられた場合に、前記表示装置へ表示されている前記他の相手側装置の電話番号を消去するものである。
【０００８】
【０００９】
請求項３記載の電話装置は、文字や記号を表示可能な表示装置と、通話中に相手側装置の電話番号を受信可能な受信手段とを備えており、更に、１の相手側装置との通話中に、新たに他の相手側装置から着呼があった場合、前記受信手段により受信された前記他の相手側装置の電話番号を記憶する発信者番号記憶手段と、その発信者番号記憶手段に記憶される前記他の相手側装置の電話番号を前記表示装置へ表示する表示手段と、その表示手段により前記表示装置へ表示された前記他の相手側装置の電話番号を所定の契機で消去する消去手段と、前記表示手段による前記表示装置への前記他の相手側装置の電話番号の表示時間を記憶する表示時間記憶手段と、その表示時間記憶手段に記憶されている時間の計時を行う計時手段とを備え、前記計時手段による計時は、通話が前記１の相手側装置から前記他の相手側装置へ切り替えられることにより開始され、前記消去手段は、その計時手段により前記表示時間記憶手段に記憶されている時間の計時が終了した場合に、前記表示装置へ表示されている前記他の相手側装置の電話番号を消去するものである。
【００１０】
請求項４記載の電話装置は、請求項３記載の電話装置において、前記消去手段は、通話が前記他の相手側装置から前記１の相手側装置へ切り替えられた場合に、前記表示装置へ表示されている前記他の相手側装置の電話番号を消去するものである。
【００１１】
請求項５記載の電話装置は、請求項１から４のいずれかに記載の電話装置において、キー部材が配設されている入力装置を備えており、前記消去手段は、前記入力装置に配設されているキー部材が操作された場合に、前記表示装置へ表示されている前記他の相手側装置の電話番号を消去するものである。
【００１２】
請求項６記載の電話装置は、請求項１から５のいずれかに記載の電話装置において、前記消去手段によって消去された前記他の相手側装置の電話番号を前記発信者番号記憶手段の記憶内容に基づいて、所定の契機で再表示する再表示手段を備えている。
【００１３】
【発明の実施の形態】
以下、本発明の好ましい実施例について、添付図面を参照して説明する。図１は、本発明の一実施例であるファクシミリ装置１の外観斜視図である。ファクシミリ装置１の本体２の側部には、受話器３が取り付けられている。受話器３は非通話時には本体２に設けられた図示しないフック上に置かれ、通話時にはフックから取り上げられて使用される。前者をオンフック状態、後者をオフフック状態と称している。
【００１４】
本体２の上面前部には複数のキー４ａを備えた操作パネル４が設けられ、その操作パネル４の左後部には、新たに着呼のあった相手側装置（発呼側装置）の電話番号（発信者番号）を表示するための液晶表示器（ＬＣＤ）５が設けられている。
【００１５】
操作パネル４の左端部には、上から順に切替キー４ｂ、ストップキー４ｃ、表示キー４ｄとが設けられている。切替キー４ｂは、接続している電話回線を１の相手側装置と新たに着呼のあった相手側装置との間で切り替えるためのものである。
【００１６】
ストップキー４ｃは、ＬＣＤ５へ表示された発信者番号を消去するためのものである。よって、受信者は、発信者番号をＬＣＤ５に表示する必要がなくなった場合には、ストップキー４ｃを押下することによって、発信者番号の表示を消去することができるのである。
【００１７】
表示キー４ｄは、ＬＣＤ５へ発信者番号を表示するためのものである。よって、受信者は、発信者番号の表示がＬＣＤ５から消去されていても、その発信者番号をメモなどする必要がある場合には、表示キー４ｄを押下することによって、ＬＣＤ５へ再表示することができるのである。
【００１８】
ファクシミリ装置１は、この操作パネル４上に設けられた各キー４ａが押下されることにより操作されるとともに、その操作状態や操作手順などがＬＣＤ５に表示される。
【００１９】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印刷に使用された記録紙は、原稿排出口７の下方に設けられた記録紙排出口８から排出される。
【００２０】
図２は、本ファクシミリ装置１の電気的構成を示したブロック図である。ファクシミリ装置１には、ＣＰＵ１１、ＲＯＭ１２、ＥＥＰＲＯＭ１３、ＲＡＭ１４、画像メモリ１５、音声メモリ１６、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４、アンプ２７、時計回路３３、とが備えられ、これらはバスライン３０を介して相互に接続されている。
【００２１】
ＮＣＵ１９は回線制御を行うためのものであり、ファクシミリ装置１はこのＮＣＵ１９を介して電話回線３１に接続されている。ＮＣＵ１９は、交換機２９から送信される呼出信号や発信者番号などを受信するとともに、操作パネル４上に設けられているキー４ａ操作に応じた発信時のダイヤル信号を交換機２９へ送信したり、更には通話時におけるアナログ音声信号の送受信を行うものである。
【００２２】
ＣＰＵ１１は、ＮＣＵ１９を介して送受信される各種信号に従って、バスライン３０により接続された各部を制御してファクシミリ動作や電話動作、即ち、データ通信を実行するものである。時計回路３３は時刻の計時を行うためのものであり、時計回路３３により計時された時刻はＣＰＵ１１によって読み出され、各処理に使用される。ＲＯＭ１２は、このファクシミリ装置１で実行される制御プログラムなどを格納した書換不能なメモリであり、図３および図４のフローチャートに示す各プログラムはこのＲＯＭ１２内に格納されている。
【００２３】
ＥＥＰＲＯＭ１３は書換可能な不揮発性のメモリであり、ＥＥＰＲＯＭ１３へ記憶されたデータは、ファクシミリ装置１の電源オフ後も保持される。このＥＥＰＲＯＭ１３は、発信者番号をＬＣＤ５へ表示する表示時間を記憶するためのタイマカウンタ１３ａを備えている。ファクシミリ装置１は、発信者番号をタイマカウンタ１３ａに記憶されている値分の表示時間だけＬＣＤ５へ表示した後、その発信者番号の表示を消去する。よって、かかる表示時間の経過により、受信者に操作パネル４上のキー４ａ操作をさせることなく、発信者番号の表示をＬＣＤ５から消去することができるのである。
【００２４】
ＲＡＭ１４は、ファクシミリ装置１の各動作の実行時に各種のデータを一時的に記憶するためのメモリであり、発信者番号メモリ１４ａと表示フラグ１４ｂとを備えている。
【００２５】
発信者番号メモリ１４ａは、１の相手側装置との通話中（電話回線の閉結中）に新たな着呼があった場合、従来技術の欄で説明した「コール・ウエイティング・コーラーＩＤサービス」によって交換機２９から送信される発信者番号を一時的に記憶するためのメモリである。このため、通話中に新たな着呼があっても交換機２９から発信者番号が送信されない場合には、発信者番号メモリ１４ａの内容を「０」クリアしている。従って、発信者番号メモリ１４ａの内容を調べて、「０」でなければ、発信者番号メモリ１４ａに記憶される電話番号の相手側装置（発信者）からの着呼であると判断でき、一方、発信者番号メモリ１４ａの内容が「０」であれば、通話中に新たに着呼のあった相手側装置（発信者）の電話番号が交換機２９から送信されなかったと判断することができる。
【００２６】
表示フラグ１４ｂは、受信者によって表示キー４ｄが押下されたか否かを記憶するためのフラグである。このフラグ１４ｂの初期値はオフに設定されており、表示キー４ｄが押下されると、表示フラグ１４ｂはオンに設定される。ファクシミリ装置１は、表示フラグ１４ｂがオンであれば、表示キー４ｄが押下されたと判断する。よって、かかる場合には、タイマカウンタ１３ａの値分の表示時間が経過しても、発信者番号の表示を消去しないようにしている。
【００２７】
画像メモリ１５は、通信履歴や、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２５によって記録紙に印刷された後に、この画像メモリ１５から消去される。一般に、画像データは大容量であるが、画像データが印刷されることを条件にその画像データを消去しているので、画像メモリ１５を有効に使用することができる。音声メモリ１６は、受信者へ報知されるメッセージや、発呼側装置へ送出される応答メッセージ、更には、発呼側装置から送られてきた入来メッセージを記憶するためのメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００２８】
音声ＬＳＩ１７は、ＮＣＵ１９によって受信されたアナログ音声信号をデジタル音声信号に変換する音声認識処理を行うとともに、ファクシミリ装置１の内部で生成されたデジタル音声信号をアナログ音声信号に変換して、ＮＣＵ１９やスピーカ２８（アンプ２７）へ出力する音声合成処理を行うためのものである。
【００２９】
モデム２０は、画情報を変調および復調して伝送するとともに伝送制御用の各種手順信号を送受信するためのものであり、バッファ２１は、相手側ファクシミリ装置との間で送受信される符号化された画情報を含むデータを一時的に格納するためのものである。スキャナ２２は、原稿挿入口６に挿入された原稿から画像を読み取るためのものであり、符号化部２３は、スキャナ２２により読み取られた画像の符号化を行うものである。復号化部２４は、バッファ２１又は画像メモリ１５に記憶された受信画像データを読み出して、これを復号化するためのものであり、復号化されたデータはプリンタ２５によって記録紙に印刷される。
【００３０】
操作パネル４は、受信者がこのファクシミリ装置１の設定等を行う場合に各種の操作を行うためのものであり、アンプ２７は、そのアンプ２７に接続されたスピーカ２８を鳴動して、呼出音や音声などを出力するためのものである。
【００３１】
このように構成されたファクシミリ装置１は、ＮＣＵ１９を介して、電話回線３１に接続されている。電話回線３１は、ファクシミリ装置１の交換機２９に接続され、交換機２９は、電話回線３２を介して、他の交換機に接続されている。なお、他の交換機は、更に電話回線を介して、発呼側装置に接続されている。
【００３２】
次に図３から図４のフローチャートを参照して、上記のように構成されたファクシミリ装置１の動作について説明する。図３は、キャッチホン処理を示した図である。図３に示すように、ファクシミリ装置１は、１の相手側装置との電話回線の閉結中に、新たな電話の着呼があるのを待機している（Ｓ１：Ｎｏ）。新たな着呼があり受信者側の受話器３から割り込み音が鳴動されると（Ｓ１：Ｙｅｓ）、上述したコール・ウエイティング・コーラーＩＤサービスにより交換機２９から送信される発信者番号を受信したか否かを判断する（Ｓ２）。判断の結果、発信者番号を受信した場合には（Ｓ２：Ｙｅｓ）、その受信した発信者番号を発信者番号メモリ１４ａへ書き込む（Ｓ３）とともに、その発信者番号メモリ１４ａの内容をＬＣＤ５へ表示する（Ｓ４）。
【００３３】
一方、ファクシミリ装置１がコール・ウエイティング・コーラーＩＤサービスに加入していても、発信者が電話番号の送信を拒否している場合には、交換機２９から発信者番号は送信されないので、発信者番号を受信することができない。よって、かかる場合には（Ｓ２：Ｎｏ）、発信者番号メモリ１４ａの内容を「０」クリアして（Ｓ５）、発信者番号を受信することができなかったことを記憶する。
【００３４】
発信者番号メモリ１４ａの「０」クリア後（Ｓ５）、または、発信者番号のＬＣＤ５への表示後（Ｓ４）、割り込み音が継続しているか否かを確認する（Ｓ６）。割り込み音が継続していなければ（Ｓ６：Ｎｏ）、新たな電話の着呼が途絶えたので、処理をＳ１１へ移行して、発信者番号メモリ１４ａの内容の表示をＬＣＤ５から消去し（Ｓ１１）、このキャッチホン処理を終了する。
【００３５】
一方、割り込み音が継続していれば（Ｓ６：Ｙｅｓ）、受信者によって切替キー４ｂが押下されたか否かを判断する（Ｓ７）。判断の結果、切替キー４ｂが押下されなければ（Ｓ７：Ｎｏ）、処理をＳ６へ移行して、Ｓ６及びＳ７の処理を繰り返す。その間に切替キー４ｂが押下されれば（Ｓ７：Ｙｅｓ）、通話相手を新たに着呼のあった電話の相手に切り替える（Ｓ８）。切り替え後、図４に示す発信者番号表示非表示設定処理を実行する（Ｓ９）。
【００３６】
なお、Ｓ６の割り込み音は（ＳＡＳ信号は）、日本などでは交換機２９から約４ｓごとに送信されるので、その割り込み音の継続状態により、新たに着呼のあった発信者からの呼出が継続しているか否かを確認した。しかし、アメリカなどでは、かかる割り込み音（ＳＡＳ信号）の送信は、約１０ｓの間隔を空けて２回行われるだけである。よって、かかる割り込み音の送信が２回しか行われないアメリカなどでは、図３のフローチャートにおけるＳ６の処理、即ち、割り込み音が継続しているか否かの判断処理を削除して、キャッチホン処理を構成するようにしても良い。
【００３７】
図４の発信者番号表示非表示設定処理は、発信者番号をＬＣＤ５へ表示したり、或いは、非表示とする設定を行う処理である。図４に示すように、まず、時計回路３３の時間を読み取り、タイマカウンタ１３ａへ記憶されている値分の時間の計時を開始する（Ｓ２１）。計時開始後、受信者によって表示キー４ｄが押下されたか否かを記憶するための表示フラグ１４ｂを初期化するために、表示フラグ１４ｂをオフする（Ｓ２２）。表示フラグ１４ｂのオフ後、表示フラグ１４ｂの内容を確認する（Ｓ２３）。表示フラグ１４ｂがオフであれば（Ｓ２３：ＯＦＦ）、未だ受信者によって表示キー４ｄが押下されていないので、時計回路３３の時間を監視して、Ｓ２１の処理で読み取った時計回路３３の時間からタイマカウンタ１３ａへ記憶されている値分の時間が経過したか否かを判断する（Ｓ２４）。判断の結果、タイマカウンタ１３ａへ記憶されている値分の計時が終了すれば（Ｓ２４：Ｙｅｓ）、発信者番号メモリ１４ａの内容の表示をＬＣＤ５から消去する（Ｓ２５）。一方、計時が終了していない場合には（Ｓ２４：Ｎｏ）、Ｓ２５の処理をスキップする。また、Ｓ２３の処理において表示フラグ１４ｂがオンである場合には（Ｓ２３：ＯＮ）、受信者によって表示キー４ｄが押下されているので、Ｓ２４及びＳ２５の処理をスキップする。
【００３８】
このようにタイマカウンタ１３ａへ記憶されている値分の計時が終了すれば、ＬＣＤ５へ表示されている発信者番号は消去される。よって、表示時間の経過により、受信者に操作パネル４上のキー４ａ操作をさせることなく、発信者番号の表示を消去することができるのである。
【００３９】
次に、受信者によって表示キー４ｄが押下されたか否かを確認し（Ｓ２６）、表示キー４ｄが押下されれば（Ｓ２６：Ｙｅｓ）、発信者番号メモリ１４ａの内容が「０」であるか否かを判断する（Ｓ２７）。判断の結果、発信者番号メモリ１４ａの内容が「０」でない場合には（Ｓ２７：Ｎｏ）、交換機２９から送られた発信者番号を受信することができたので、発信者番号メモリ１４ａの内容をＬＣＤ５へ表示する（Ｓ２８）。表示後、表示キー４ｄが押下されたことを記憶するために表示フラグ１４ｂをオンする（Ｓ２９）。一方、発信者番号メモリ１４ａの内容が「０」である場合には（Ｓ２７：Ｙｅｓ）、発信者番号を受信することができなかったので、Ｓ２８及びＳ２９の処理をスキップする。また、Ｓ２６の処理において、表示キー４ｄが押下されなければ（Ｓ２６：Ｎｏ）、発信者番号メモリ１４ａの内容をＬＣＤ５へ表示する設定を行わないので、Ｓ２７からＳ２９の処理をスキップする。
【００４０】
このように、受信者によって表示キー４ｄが押下され、発信者番号メモリ１４ａの内容が「０」でない場合には、ＬＣＤ５へ発信者番号が表示される。よって、受信者は、発信者番号の表示がＬＣＤ５から消去されていても、その発信者番号をメモなどする必要がある場合には、表示キー４ｄを押下することによって、ＬＣＤ５へ再表示することができるのである。
【００４１】
次に、受信者によってストップキー４ｃが押下されたか否かを確認し（Ｓ３０）、ストップキー４ｃが押下されれば（Ｓ３０：Ｙｅｓ）、発信者番号メモリ１４ａの内容の表示をＬＣＤ５から消去する（Ｓ３１）。一方、ストップキー４ｃが押下されなければ（Ｓ３０：Ｎｏ）、発信者番号メモリ１４ａの内容の表示をＬＣＤ５から消去する設定を行わないので、Ｓ３１の処理をスキップする。
【００４２】
このように、受信者によってストップキー４ｃが押下されると、ＬＣＤ５に表示されている発信者番号は消去される。よって、受信者は、発信者番号をＬＣＤ５へ表示する必要がなくなった場合には、ストップキー４ｃを押下することによって、即座に発信者番号の表示を消去することができるのである。
【００４３】
次に、受信者によって切替キー４ｂが押下されたか否かを確認し（Ｓ３２）、切替キー４ｂが押下されなければ（Ｓ３２：Ｎｏ）、処理をＳ２３へ移行して、Ｓ２３からＳ３２までの処理を繰り返す。切替キー４ｂが押下されれば（Ｓ３２：Ｙｅｓ）、この発信者番号表示非表示設定処理を終了する。
【００４４】
発信者番号表示非表示設定処理（Ｓ９）の終了後は、処理を図３のＳ１０へ移行して、通話相手を先に通話していた電話の相手へ切り替える（Ｓ１０）。切り替え後、発信者番号の表示をＬＣＤ５から消去し（Ｓ１１）、このキャッチホン処理を終了する。
【００４５】
このように、接続されている電話回線が、新たに着信した電話から先に通話していた電話へ切り替えられた場合には、発信者番号の表示がＬＣＤ５から消去される。よって、電話回線の切り替えに応じて、発信者番号の表示を消去することができるのである。
【００４６】
なお、本実施例において、請求項１から６に記載の消去手段としては、Ｓ１１またはＳ２５の処理が該当する。請求項１から６に記載の計時手段としては、Ｓ２１及びＳ２４の処理が該当する。請求項６記載の再表示手段としては、Ｓ２８の処理が該当する。
【００４７】
以上、実施例に基づき本発明を説明したが、本発明は上記実施例に何ら限定されるものではなく、本発明の趣旨を逸脱しない範囲内で種々の改良変形が可能であることは容易に推察できるものである。
【００４８】
例えば、本実施例のファクシミリ装置１では、Ｓ４の処理において、発信者番号メモリ１４ａの内容、即ち、相手側装置の電話番号がＬＣＤ５へ表示された。しかし、これに代えて、予め、相手側装置の電話番号に対応つけて、その相手側装置の名称を記憶しておき、Ｓ４の処理では、その記憶された相手側装置の名称を発信者番号メモリ１４ａの内容に替えてＬＣＤ５へ表示するように構成しても良い。
【００４９】
【発明の効果】
請求項１記載の電話装置によれば、１の相手側装置との回線の閉結中に交換機側から送られる他の相手側装置の電話番号が受信されると、その受信された他の相手側装置の電話番号が表示装置へ表示される。接続されている回線が１の相手側装置から他の相手側装置へ切り替えられると、時間の計時が開始され、その計時が終了すると、表示装置へ表示されている他の相手側装置の電話番号が消去される。このように、表示時間の経過により、受信者に煩雑な操作を強いることなく、新たに着呼のあった相手側装置の電話番号を表示装置から自動的に消去することができるという効果がある。また、受信者は、回線の切り替え後もしばらくの間、新たに着信した相手側装置の電話番号を認識することができるという効果がある。
【００５０】
請求項２記載の電話装置によれば、請求項１記載の電話装置の奏する効果に加え、更に、接続されている回線が、他の相手側装置から１の相手側装置へ切り替えられた場合には、消去手段によって、表示装置へ表示された他の相手側装置の電話番号が消去される。よって、回線の切り替えに応じて、新たに着信した相手側装置の電話番号の表示を消去することができるという効果がある。
【００５１】
請求項３記載の電話装置によれば、１の相手側装置との通話中に他の相手側装置の電話番号が受信されると、その受信された他の相手側装置の電話番号が表示装置へ表示される。通話が１の相手側装置から他の相手側装置へ切り替えられると、時間の計時が開始され、その計時が終了すると、表示装置へ表示されている他の相手側装置の電話番号が消去される。このように、表示時間の経過により、受信者に煩雑な操作を強いることなく、新たに着呼のあった相手側装置の電話番号を表示装置から自動的に消去することができるという効果がある。また、受信者は、切り替え後もしばらくの間、新たに着信した相手側装置の電話番号を認識することができるという効果がある。
【００５２】
請求項４記載の電話装置によれば、請求項３記載の電話装置の奏する効果に加え、更に、通話が、他の相手側装置から１の相手側装置へ切り替えられた場合には、消去手段によって、表示装置へ表示された他の相手側装置の電話番号が消去される。よって、切り替えに応じて、新たに着信した相手側装置の電話番号の表示を消去することができるという効果がある。
【００５３】
請求項５記載の電話装置によれば、請求項１から４のいずれかに記載の電話装置の奏する効果に加え、更に、入力装置に配設されているキー部材が操作されると、消去手段によって、表示装置へ表示された他の相手側装置の電話番号が消去される。よって、受信者は、新たに着呼のあった相手側装置の電話番号を表示する必要がなくなった場合には、所望のタイミングでキー操作をして消去することができるという効果がある。
【００５４】
請求項６記載の電話装置によれば、請求項１から５のいずれかに記載の電話装置の奏する効果に加え、更に、消去手段により消去された他の相手側装置の電話番号は、発信者番号記憶手段の記憶内容に基づいて、再表示手段により所定の契機で再表示される。よって、新たに着呼のあった相手側装置の電話番号を表示装置から消去してしまっても、必要な場合には、再表示することができるという効果がある。
【図面の簡単な説明】
【図１】本発明の一実施例であるファクシミリ装置の斜視図である。
【図２】上記ファクシミリ装置の電気的構成を示したブロック図である。
【図３】キャッチホン処理を示したフローチャートである。
【図４】発信者番号表示非表示設定処理を示したフローチャートである。
【符号の説明】
１          ファクシミリ装置（電話装置）
３          受話器
４          操作パネル（入力装置）
４ａ        キー（キー部材）
４ｂ        切替キー
４ｃ        ストップキー（消去手段）
４ｄ        表示キー（再表示手段）
５          ＬＣＤ（表示装置）
１３        ＥＥＰＲＯＭ
１３ａ      タイマカウンタ（表示時間記憶手段）
１４        ＲＡＭ
１４ａ      発信者番号メモリ（発信者番号記憶手段）
１４ｂ      表示フラグ
１９        ネットワークコントロールユニット（ＮＣＵ）（受信手段の一部）
２０        モデム（受信手段の一部）
２１        バッファ（受信手段の一部）
２９        交換機
３１，３２  電話回線
３３        時計回路（計時手段）
【図１】
0003620282.tif 000002
【図２】
0003620282.tif 000003
【図３】
0003620282.tif 000004
【図４】
0003620282.tif 000005